(57)【要約】      （修正有）【課題】簡単な機構を用いて容易に、ロングヘアに限定されず幅広い長さの髪に、またハンドバッグ等にも取り付けることができ、かつ、多彩なおしゃれのセンスを表現することができる、アクセサリーを提供する。【解決手段】本アクセサリーは、軸の回りに回動可能な第１のクリップ片および第２のクリップ片を有して、対象箇所に取り付けるための弾性クリップ２０と、第１のクリップ片に配置される第１の装飾布１１と、第２のクリップ片に配置される第２の装飾布１２とを備え、第１および第２の装飾布１１，１２が、ともにギャザーをとられていることを特徴とする。【選択図】図２
0003154305.tif 000002
【実用新案登録請求の範囲】
【請求項１】
軸の回りに回動可能な第１の部材および第２の部材を有して、対象箇所に取り付けるための取付部と、
前記第１の部材に配置される第１の装飾布と、
前記第２の部材に配置される第２の装飾布とを備え、
前記第１および第２の装飾布が、ともにギャザーをとられていることを特徴とする、アクセサリー。
【請求項２】
前記取付部が弾性クリップからなり、前記第１の部材および第２の部材が、櫛状のクリップ片であることを特徴とする、請求項１に記載のアクセサリー。
【請求項３】
前記ギャザーは、前記第１の装飾布および第２の装飾布の中央にぐし縫いが施されてそのぐし縫いを引っ張って真ん中に寄せたギャザーであることを特徴とする、請求項１または２に記載のアクセサリー。
【請求項４】
前記弾性クリップの把手部を覆って前記第１の装飾布と第２の装飾布とを連続するように設けられた装飾布である、把手部覆い装飾布を備えることを特徴とする、請求項２または３に記載のアクセサリー。
【請求項５】
前記第１の装飾布および第２の装飾布の縁に弾性糸が縫い込まれていることを特徴とする、請求項１〜４のいずれか１項に記載のアクセサリー。
【請求項６】
前記取付部の前記第１の部材および第２の部材は、ともに、湾曲した細長弾性板状体であり、前記軸と逆側の端に、相互に係合して留める係合部を備え、対象箇所に取り付く面に、複数の突状部が設けられていることを特徴とする、請求項１に記載のアクセサリー。
【請求項７】
前記第１の装飾布よりも幅が狭い第３の装飾布がギャザーをとられて前記第１の装飾布に重ねられ、前記第２の装飾布よりも幅が狭い第４の装飾布がギャザーをとられて前記第２の装飾布に重ねられていることを特徴とする、請求項６に記載のアクセサリー。
【請求項８】
前記第１の装飾布は前記第１の部材に、また第２の装飾布は前記第２の部材に、接着剤または両面テープで接着されていることを特徴とする、請求項１〜７のいずれか１項に記載のアクセサリー。
【考案の詳細な説明】
【技術分野】
【０００１】
本考案は、アクセサリーに関し、より具体的には、おしゃれセンスを十分に表現しながら髪等への取り付けが簡単にできるアクセサリーに関するものである。
【背景技術】
【０００２】
男女を問わず髪のおしゃれは高い比重を占め、重要である。とくに女性にとってヘアアクセサリーは重要な身だしなみの一つであり、センス、秘めた情熱、気迫、可憐さ等、大袈裟にいえば自分の生き方や好みをさりげなく表現するものである。働く女性や学習する女性の割合が増えるにつれ、取り付けが簡単で、時間の節約ができ、かつ活発な身のこなしに支障をきたさないアクセサリーが重視される傾向にある。このため、たとえば弾性機構の付いた留め具付き髪飾りの提案がなされている（特許文献１）。この髪飾りでは、スプリングなどの弾性部材を用いて、取り付け性向上の要求に応えながら、弾性機構の金属ばねを装飾部品の中に収納して外から見えないようにして、外観をおしゃれな装飾品とすることができる。
２つの櫛とその間に配置された飾りが付いた伸縮性の飾りバンドとで構成される髪飾りの提案もされている（特許文献２）。この髪飾りは、一方の端の櫛を束髪に差し込み、飾りが付いた伸縮性の飾りバンドでその束髪を締結して、他方の端の櫛を束髪の逆側から差し込んで留める、という機構を持つ。櫛の密度を高くして、かつ長目にすることで、髪への取り付けを確実にしながら、飾りバンドの部分でおしゃれ感覚を満たすことができる。
また、シュシュ形髪飾りをブローチや、ハンドバッグ等のアクセサリーに使うために、環状のシュシュ本体にパレッタ台やピン等の接続具を取り付けた髪飾りが提案されている（特許文献３）。
【先行技術文献】
【特許文献】
【０００３】
【特許文献１】特許公表２００４−５２０１２１号公報
【特許文献２】実用新案登録第３１２８９７６号
【特許文献３】実用新案登録第３０２２７４３号
【考案の概要】
【考案が解決しようとする課題】
【０００４】
上記特許文献１の髪飾りは、髪への取り付けに大きな比重を置いているが、大まかに言えば取り付け部分だけから構成されるので、装飾性をより多く楽しむという点では不十分である。また、特許文献２の髪飾りは、機構が複雑であり、髪への取り付けはそれほど簡単ではない。そして、長い髪を前提としており、ショートヘアには取り付けられない。また、特許文献３のアクセサリーは取り付け機構が明確でなく、取り付け後の安定維持にも不安が残る。そして、ここでアクセサリーの主役となるシュシュ本体も、本来、長い髪のヘアアクセサリーである。
【０００５】
本考案は、上記の欠点を克服するものであり、簡単な機構を用いて容易に、ロングヘアに限定されず幅広い長さの髪に、またハンドバッグ等にも取り付けることができ、かつ、多彩なおしゃれのセンスを表現することができる、アクセサリーを提供することを目的とする。
【課題を解決するための手段】
【０００６】
本考案のアクセサリーは、軸の回りに回動可能な第１の部材および第２の部材を有して、対象箇所に取り付けるための取付部と、第１の部材に配置される第１の装飾布と、第２の部材に配置される第２の装飾布とを備え、第１および第２の装飾布が、ともにギャザーをとられていることを特徴とする。
【０００７】
上記の構成によれば、第１の部材と第２の部材とが軸の回りに回動することで、対象箇所をはさむようにして取り付けることができ、かつギャザーがついた装飾布がその取付部を覆うので、たとえばヘアアクセサリーの場合には、そのヘアアクセサリーをロングヘアに限定されずより短いヘアにも、簡単にセットすることができる。ギャザーがとられた装飾布が２つ組まれて配置されるので、身だしなみとともに、おしゃれのセンス（衣服等との調和のセンス、情熱など一点豪華主張のセンス、自然との調和の重視のセンス等）をさりげなく、十分に表現することができる。具体的にはたとえば、洋服、イヤリング、マフラー、シューズ等と色彩、柄を合わせることができる。洋服、ブラウス、マフラー等の布製品とともに、装飾布の布が持つ風合いもおしゃれの演出に寄与することができる。
【０００８】
取付部が弾性クリップからなり、第１の部材および第２の部材を、櫛状のクリップ片とすることができる。これによって、弾性クリップの２つの把手（クリップ片の櫛状部と反対側の端部分）を力を入れて指でつまんで櫛状部を広げることで、ロングヘア、ショートヘアを問わず、またハンドバッグ等の対象箇所を挟み入れ、指のつまみを放すことで２つのクリップの櫛状部で挟んでその対象箇所を把持させることができる。この操作は、非常に簡単であり、弾性クリップのばね強さを適当に加減することで、活発な動きをしてもずれることなく対象箇所の把握を安定に維持することができる。とくにロングヘアでなくても、おしゃれセンスに富んだヘアアクセサリーを安定して髪に取り付けることができる。このような非ロングヘアに用いることができる装飾性に富んだヘアアクセサリーは、これまでほとんど例がない。弾性クリップの弾性力を発現する弾性部材には、各種の金属ばね、樹脂ばね等を用いることができる。また、クリップ片としては、装飾布に主役を演じさせるために、透明または半透明の樹脂などを用いるのがよい。また、色つきの場合は、髪の色に合わせて目立たない色調とするのがよい。
【０００９】
ギャザーを、第１の装飾布および第２の装飾布の中央にぐし縫いが施されて該ぐし縫いを引っ張って真ん中に寄せたギャザーとすることができる。これによって、花束またはコサージュもしくはブーケのような装飾性の高い装飾布を形作ることができる。このような装飾性の高い布２つをまとめて盛り上げて配置するので、多様で表現力の高いおしゃれセンスを演出することができる。
【００１０】
弾性クリップの把手部を覆って第１の装飾布と第２の装飾布とを連続するように設けられた装飾布である、把手部覆い装飾布を備えることができる。これによって、弾性クリップの把手部は外側から見えなくなる。この結果、たとえば、弾性縁の孔が設けられた環状の装飾布であるシュシュを髪に取り付けた状態を、クリップの操作で非常に簡単に実現することができる。従来、シュシュのロングヘアへの取り付けは、シュシュのねじり重ねの操作や、孔にロングヘアを通して固定する動作など、気に入った取り付けが完成するまでかなりの手間を要していた。上記の本考案によれば、ロングヘアに限定されず、シュシュと同様のアクセサリーを簡単に安定して取り付けることができる。
【００１１】
第１の装飾布および第２の装飾布の縁に弾性糸を縫い込んでおくことができる。これによって、装飾布の縁が、縁の線を維持しながら波打って、ギャザーと組み合わせることで八重の花びらのような装飾効果を表現することができる。上記の弾性糸としてはテグス、細樹脂線、極細金属線等を用いることができる。
【００１２】
上記の弾性クリップを用いない場合、取付部の第１の部材および第２の部材は、ともに、湾曲した細長弾性板状体であり、軸と逆側の端に、相互に係合して留める係合部を備え、対象箇所に取り付く面に、複数の突状部が設けられている構造をとることができる。このように弾性クリップを用いない場合には、湾曲した細長弾性板状体で髪等を挟んで、弾性力により係合部を係合させることで留めることができる。弾性力は、樹脂程度の弾性があればよい。したがって湾曲した細長弾性板状体の材料には、樹脂を用いることができる。湾曲の程度は、バナナ程度の湾曲があればよい。バナナ程度に湾曲させることで、係合の機構を形成するだけでなく、無機的人工的でなく、親しみを感じさせておしゃれの表現を多様化することができる。また商品名にバナナの名称を含ませて連想効果により多数のヒトに覚えて貰うことができる。
【００１３】
取付部が湾曲した細長弾性板状体の場合、第１の装飾布よりも幅が狭い第３の装飾布がギャザーをとられて該第１の装飾布に重ねられ、第２の装飾布よりも幅が狭い第４の装飾布がギャザーをとられて該第２の装飾布に重ねられている構成をとることができる。これによって、装飾布の盛り上がりを高めて、おしゃれの表現をさらに大きくすることができる。
【００１４】
第１の装飾布は第１の部材に、また第２の装飾布は第２の部材に、接着剤または両面テープで接着することができる。これによって、グルーガンなどを用いた接着剤、または両面テープによって、装飾布を取付部の第１の部材および第２の部材に、能率よく簡単に固定することができる。これによって、装飾性および取付性が高く、かつ経済性にも優れたアクセサリーを提供することができる。上述のように、このアクセサリーは、洋服、イヤリング、マフラー、シューズ等に合わせて、幾種類も揃えておく場合が多く、求めやすい価格にすることは、拡販の重要な要因となる。
【考案の効果】
【００１５】
本考案のアクセサリーによれば、簡単な機構を用いて容易に、ロングヘアに限定されず幅広い長さの髪に、またハンドバッグ等にも取り付けることができ、かつ、多彩なおしゃれのセンスを表現することができる。
【図面の簡単な説明】
【００１６】
【図１】本考案の実施の形態１におけるアクセサリーを示す図である。
【図２】図１のアクセサリーを別の角度から見た図である。
【図３】（ａ）はクリップを開いた状態を内側から見た図、（ｂ）はクリップの把手部の部分拡大図である。
【図４】本実施の形態のアクセサリーの製造方法を示し、（ａ）はテグスを縁に縫い込んだ細長い楕円形状の装飾布にぐし縫いを施した状態、（ｂ）ぐし縫いを引っ張ってギャザーを中央に寄せた状態、を示す図である。
【図５】本実施の形態のアクセサリーの概略構成図である。
【図６】図５のアクセサリーを把手部周回装飾布の側から見た図である。
【図７】本考案の実施の形態２におけるアクセサリーを示す図である。
【図８】図７のアクセサリーの開いた状態を示す図である。
【考案を実施するための形態】
【００１７】
（実施の形態１）
図１は、本考案の実施の形態１におけるアクセサリー５０を示す図である。このアクセサリー５０は、主にヘアアクセサリーとしてヘアに取り付けるが、ハンドバッグやマフラー等に取り付けてもよい。このアクセサリー５０は、ギャザーがとられた第１の装飾布１１と、同様にギャザーがとられた第２の装飾布１２を備えている。第１の装飾布１１および第２の装飾布１２には、ともに、弾性糸または弾性線であるテグスが縁に縫い込まれてテグス縫い込み縁１１ｆ，１２ｆが設けられている。テグス縫い込み縁１１ｆ，１２ｆは、くっきりした流麗な線を形成して、装飾布１１，１２が八重の花弁もしくはコサージュのように見える効果を与えることができる。第１の装飾布１１および第２の装飾布１２を連続するように、図示しない取付部の把手部の外側を覆う把手部覆い装飾布１５が設けられている。通常、第１の装飾布１１、第２の装飾布１２、把手部覆い装飾布１５は、同じ図柄の装飾布とするのがよい。ただし、第１の装飾布１１および第２の装飾布１２は、透けて見える効果または薄手の装飾布自体の効果を得るために、薄手の生地を一枚のまま使用するのがよいが、把手部覆い装飾布１５は、把手部を覆って外側から把手部を見えなくする効果も狙っているので、芯材を入れたり、二重にしたりするのがよい。
【００１８】
図２は、図１に示すアクセサリー５０を別の角度から見た図である。把手部覆い装飾布１５は、取付部である弾性クリップ２０の把手部を覆って、第１の装飾布１１と第２の装飾布１２とを連続するように設けられている。図１および図２に示すアクセサリー５０は、ヘアアクセサリーの代表例であるシュシュを模すように形成されている。本来のシュシュは、ロングヘアを対象に、環状の弾性伸縮性の装飾布であるシュシュの内環（孔）にロングヘアを通して留めながらおしゃれセンスを表現する。第１の装飾布１１と第２の装飾布１２とを連続するように把手部覆い装飾布１５を配置することで、環状の装飾布をねじって重ねて用いるシュシュに非常によく似た外観を呈することができる。シュシュは、女性の間ではきわめてポピュラなヘアアクセサリーなので、シュシュに似せることで、親近感および安心感を持たれることができる。さらにシュシュは、ロングヘア専用であり、取り付けはそれほど簡単ではないのに対して、本実施の形態におけるヘアアクセサリー５０は、ロングヘアに限定されず、弾性クリップ２０によって簡単に取り付けることができる。
このあと順次説明するように、第１の装飾布１１、第２の装飾布１２および把手部覆い装飾布１５は、弾性クリップ２０に接着剤により接着されている。
【００１９】
図３（ａ）は、弾性クリップ２０を広げた状態（図示しない把手部に応力を付加した状態）の内側を示す図である。弾性クリップ２０は、第１の部材であるクリップ片２１と、第２の部材であるクリップ片２２とが、図示しない軸により係合されている。クリップ片２１，２２では、ともに櫛の根元部２１ｄ，２２ｄから櫛歯２１ｓ，２２ｓが分かれて出ており、櫛歯２１ｓ，２２ｓは髪を掴みやすいように内側（挟む対象箇所側）に凹に湾曲している。第１のクリップ片２１における、軸またはピンが通る２つの軸挿通部２１ｋは間隔が狭く、また第２のクリップ片２１における２つの軸挿通部２２ｋは間隔が広く、上記幅狭間隔の軸挿通部２１ｋを間に挟むように配置される。軸挿通部２１ｋ，２２ｋに設けられた挿通孔ｈには、図示しない軸である、ピンまたはボルト等が通される。弾性クリップ２０の弾性力は、ピン等を貫通させて、第１のクリップ片２１の２つの軸挿通部２１ｋの間に配置された、ねじりコイルばねによって発生される。ねじりコイルばねは、櫛の歯２１ｓ，２２ｓを閉じる向き、または対象箇所を掴む向きに弾性力を発現するように配置される。このため、際限なく閉じないように、突状のストッパＳが第２のクリップ片２２に設けられ、適当に閉じた位置で第１のクリップ片２１に当たるようにされている。
図３（ｂ）は、図３（ａ）のクリップ２０にねじりコイルばね２７を配置してピンを挿通させたあと、裏側、または把手部側から見た図である。把手部２１ａ，２２ａは、指でつまむ取っ手部または把手部である。ねじりコイルばね２７は、軸挿通部２１ｋ，２２ｋを通るピン２５に挿通され、第１のクリップ片２１の２つの軸挿通部２１ｋの間に収納されている。ねじりコイルばね２７の一方の腕２７ｅは、第１のクリップ片２１の把手部２１ａを閉じる方向に押し、また、他方の腕２７ｅは、第２のクリップ片２２の把手部２２ａを閉じる方向に押し、櫛の歯２１ｓ，２２ｓを閉じるように力を及ぼす。図３（ａ）に示す開いた状態は、ねじりコイルばね２７の力に抗して把手部２１ａ，２２ａに指等で力を及ぼして開いている状態に対応する。
第１の装飾布１１は、第１の部材である第１のクリップ片２１に接着され、また第２の装飾布１２は、第２の部材である第２のクリップ片２２に接着される。そして、把手部覆い装飾布１５は、把手部２１ａ，２２ａの櫛の歯２１ｓ，２２ｓ側の面に接着されて、把手部２１ａ，２２ａを周回して把手部を見えないようにする。このため、弾性クリップ２０を開くときは、把手部覆い装飾布１５を介して、把手部２１ａ，２２ａを指等でつまむことになる。把手部覆い装飾布１５が、芯材を含ませ、または二重にするのは、指等によって把手部に応力をかけるので、把手部覆い装飾布１５を丈夫にする意味と、かつ滑らないようにする意味もある。
【００２０】
次に、図１または図２に示すアクセサリー５０の製造方法について説明する。まず図４（ａ）に示すように、第１および第２の装飾布１１，１２には、選択した適切な図柄の細長い楕円形の布を準備する。細長い楕円形の状態で、縁にテグスを縫い込み、またはテグス入りロック始末を行っておく。次いで、中心線に沿ってぐし縫いを施す。このぐし縫いを引っ張って、図４（ｂ）に示すように、ギャザーを中央に寄せる、または細長い楕円形を立体的にまとめるように寄せる。このギャザー寄せによって、テグスを含む縁はくっきりとした流麗線を形成し、縁取られた内側は八重の花弁、コサージュ等のように幾重にもひだを形成して重なり、第１および第２の装飾布１１，１２が形成される。
図５は、アクセサリー５０の概略構成図である。弾性クリップ２０の第１のクリップ片２１の接着部Ｇに第１の装飾布１１が固定され、第２のクリップ片２２の接着部Ｇに第２の装飾布１２が固定される。そして、弾性クリップ２０の把手部２１ａ，２２ａの櫛の歯側の面の接着部Ｇに、把手部覆い装飾布１５が接着される。把手部覆い装飾布１５は、把手部２１ａ，２２ａを外側から見えないようにし、かつ、第１の装飾布１１と第２の装飾布１２とが連続するように見せる。
上記のように接着剤で接着するとき、グルーガンなどを用いることで、作業能率を高めて、かつ接着強度を安定して高い強度にすることができる。接着剤を用いる以外に、両面テープによって、クリップ２０に装飾布１１，１２，１５を固定してもよい。
図６は、図５のアクセサリー５０を把手部覆い装飾布１５の側から見た図であり、クリップは省略されている。把手部覆い装飾布１５によって、把手部２１ａ，２２ａやねじりコイルばね２７やその腕２７ｅは、外側から見えない。さらに弾性クリップ２０を透明または半透明な樹脂、または髪の色に合わせてで形成することで、装飾性の布のみで作り上げたおしゃれなアクセサリー５０の印象を与えることができる。
【００２１】
（実施の形態２）
図７は、本考案の実施の形態２におけるアクセサリー５０を示す図である。このアクセサリー５０についても、主にヘアアクセサリーとしてヘアに取り付けるが、ハンドバッグやマフラー等に用いてもよい。このアクセサリー５０は、ギャザーがとられた第１の装飾布１１と、同様にギャザーがとられた第２の装飾布１２を備えている。さらにより幅の狭い装飾布１１ｂが、やはりギャザーをとられて第１の装飾布１１の上に固定されている。図７では裏側に位置する第２の装飾布１２についても、同様に、幅の狭い装飾布が上に固定されている。第１の装飾布１１と幅の狭いその上の装飾府１１ｂとは、共通のぐし縫いＭによってギャザーをとられ、かつ両方の装飾布１１，１１ｂが一体化されている。裏側の装飾布についても同様である。
本実施の形態におけるアクセサリー５０は、少し湾曲して細長い点も特徴にあげることができる。湾曲の程度は、バナナにたとえることができる。第１の部材２１および第２の部材２２は、一方の端で、係合部２１ｇ，２２ｇ同士が係合しており、図示しない他方の端で、共通の軸の回りに回動可能とされている。
【００２２】
図８は、このアクセサリー５０を開いた状態を示す図である。第１の部材２１および第２の部材２２は、細長い弾性板状体、すなわち樹脂製の板状体である。挟む対象箇所に接する面には、一列に配列された多数の突起２１ｉ，２２ｉが設けられ、たとえば髪などに取り付ける際の取り付け安定性を向上させている。これによって、ロングヘアに限定されず幅広い長さの髪に、簡単に取り付けることができ、装飾布の装飾効果に加えて、バナナ状の細長い形状に起因した独特の面白みのあるおしゃれを演出することができる。
【００２３】
今回開示された実施の形態はすべての点で例示であって制限的なものではないと考えられるべきである。本考案の範囲は上記した説明ではなくて実用新案登録請求の範囲によって示され、実用新案登録請求の範囲と均等の意味および範囲内でのすべての変更が含まれることが意図される。
【産業上の利用可能性】
【００２４】
本考案によれば、簡単な機構を用いて容易に、ロングヘアに限定されず幅広い長さの髪に、またハンドバッグ等にも取り付けることができ、多彩なおしゃれのセンスを表現することができ、かつ経済性にも優れるので、洋服、イヤリング、マフラー等に合わせて、幾種類も備えておくことができる。
【符号の説明】
【００２５】
１１  第１の装飾布、１１ｂ  狭幅の装飾布、１１ｆ  テグス縫い込み縁、１２  第２の装飾布、１２ｂ  狭幅の挿縮布、１２ｆ  テグス縫い込み縁、１５  把手部覆い装飾布、２０  取付部、２１  取付部の第１の部材（第１のクリップ片）、２２  取付部の第２の部材（第２のクリップ片）、２１ａ，２２ａ  把手部、２１ｄ，２２ｄ  櫛の歯の根元部、２１ｉ，２２ｉ  突状部、２１ｋ，２２ｋ  軸挿通部、２１ｇ，２２ｇ  係合部、２１ｓ，２２ｓ  櫛の歯、２５  軸（ピン、ボルト）、２７  ねじりコイルばね、２７ｅ  ねじりコイルばねの腕、ｈ  軸挿通部の軸孔、Ｇ  接着部、Ｍ  ぐし縫い、Ｓ  ストッパ、
【図１】
0003154305.tif 000003
【図２】
0003154305.tif 000004
【図３】
0003154305.tif 000005
【図４】
0003154305.tif 000006
【図５】
0003154305.tif 000007
【図６】
0003154305.tif 000008
【図７】
0003154305.tif 000009
【図８】
0003154305.tif 000010